(57)【要約】【課題】持ち手が肩からずれ落ちないようにするストラップを提供する【解決手段】肩に掛けた状態のバッグの持ち手に対し、当該持ち手がある側とは反対側の脇下を通って使用者の正面側および背面側から、当該持ち手に引っ掛けた状態とすることが可能なものであり、好ましくは、少なくとも一方の端部に設けられた第一係止部と、前記第一係止部とは異なる位置に設けられ、前記第一係止部に係止可能な第二係止部とを有し、前記第一係止部と前記第二係止部とを係止させてできる輪の内側に前記持ち手を通すことで、前記持ち手に引っ掛けることが可能なものであることを特徴とする。【選択図】図４
2018082965.tif 000002
【特許請求の範囲】
【請求項１】
肩に掛けた状態のバッグの持ち手に対し、当該持ち手がある側とは反対側の脇下を通って使用者の正面側および背面側から、当該持ち手に引っ掛けた状態とすることが可能なものであることを特徴とするストラップ。
【請求項２】
請求項１記載のストラップであって、
少なくとも一方の端部に設けられた第一係止部と、
前記第一係止部とは異なる位置に設けられ、前記第一係止部に係止可能な第二係止部とを有し、
前記第一係止部と前記第二係止部とを係止させてできる輪の内側に前記持ち手を通すことで、前記持ち手に引っ掛けることが可能なものであることを特徴とするストラップ。
【請求項３】
請求項２記載のストラップであって、
前記第一係止部および前記第二係止部は、
ストラップの異なる面を向かい合わせて係止させるものであることを特徴とするストラップ。
【請求項４】
請求項１から３のいずれか１項に記載のストラップであって、
少なくとも一方の端部に、先端と軸の間が開口したままの鉤部を有し、
前記鉤部は、
前記持ち手に引っ掛けることが可能なものであることを特徴とするストラップ。
【請求項５】
肩に掛けることが可能な持ち手と、
前記持ち手に設けられた第一接続部および第二接続部と、
前記持ち手を肩に掛けた状態において、前記持ち手がある側とは反対側の脇下を通って使用者の正面側および背面側から、前記第一接続部および前記第二接続部にそれぞれ接続可能なストラップと、を備えたことを特徴とするバッグ。
【請求項６】
肩に掛けることが可能な持ち手と、
前記持ち手に設けられた接続部と、
前記持ち手を肩に掛けた状態において、前記持ち手がある側とは反対側の脇下を通って使用者の正面側および背面側のいずれか一方側から前記接続部に接続可能であって、該一方側とは異なる他方側から、前記持ち手に引っ掛けることが可能なストラップと、を備えたことを特徴とするバッグ。
【請求項７】
肩に掛けることが可能な持ち手と、
前記持ち手に設けられた接続部と、
前記持ち手に一端が固定されたストラップと、を備え、
前記ストラップは、
前記持ち手を肩に掛けた状態において、前記持ち手がある側とは反対側の脇下を通って使用者の正面側および背面側のいずれか一方側から前記接続部に接続可能なものであることを特徴とするバッグ。
【請求項８】
肩に掛けることが可能な持ち手と、
前記持ち手に一端が固定されたストラップと、を備え、
前記ストラップは、
前記持ち手を肩に掛けた状態において、前記持ち手がある側とは反対側の脇下を通って使用者の正面側および背面側のいずれか一方側から前記持ち手に引っ掛けることが可能なものであることを特徴とするバッグ。
【請求項９】
請求項６または８に記載のバッグであって、
前記ストラップは、
前記持ち手に引っ掛ける側の端部に設けられた第一係止部と、
前記第一係止部とは異なる位置に設けられ、前記第一係止部に係止可能な第二係止部とを有し、
前記第一係止部と前記第二係止部とを係止させてできる輪の内側に前記持ち手を通すことで、前記持ち手に引っ掛けることが可能なものであることを特徴とするバッグ。
【請求項１０】
請求項９記載のバッグであって、
前記第一係止部および前記第二係止部は、
ストラップの異なる面を向かい合わせて係止させるものであることを特徴とするバッグ。
【請求項１１】
請求項６または８に記載のバッグであって、
前記ストラップは、
前記持ち手に引っ掛ける側の端部に、先端と軸の間が開口したままの鉤部を有し、
前記鉤部は、
前記持ち手に引っ掛けることが可能なものであることを特徴とするバッグ。
【請求項１２】
肩に掛けることが可能な持ち手と、
底部に設けられた第一接続部および第二接続部と、
前記持ち手を肩に掛けた状態において、前記底部がある側とは反対側の胴部を回って使用者の正面側および背面側から、前記第一接続部および前記第二接続部にそれぞれ接続可能なストラップと、を備えたことを特徴とするバッグ。
【発明の詳細な説明】
【技術分野】
【０００１】
本発明は、肩に掛けることが可能な持ち手を有するバッグ用のストラップに関する。
【背景技術】
【０００２】
肩に掛けることが可能な持ち手が取り付けられたバッグは、持ち手を肩にかけた際にその持ち手が肩からずれ落ちてしまうことがある。このような問題に対し、本件出願人は、これまでに、バッグの持ち手と底部をストラップで繋ぐ構造のバッグを提案している（例えば、特許文献１または特許文献２）。
【先行技術文献】
【特許文献】
【０００３】
【特許文献１】特開２０１３−１５０７６３
【特許文献２】国際公開公報ＷＯ２０１５／０１９９９６
【発明の概要】
【発明が解決しようとする課題】
【０００４】
特許文献１および特許文献２に記載のバッグでは、使用者の背中側にバッグを配置した状態となる。しかし、バッグが背中にあると、中身を取り出すためにはバッグを下ろさなくてはならず、不便な場合がある。また、混雑した電車内ではバッグを背中側に配置すると、他の乗客の迷惑となってしまう。
【０００５】
本発明は上記事情に鑑み、利便性を妨げることなく持ち手が肩からずれ落ちないようにするストラップと、このストラップを設けたバッグを提供することを目的とする。
【課題を解決するための手段】
【０００６】
上記目的を解決する本発明のストラップは、
肩に掛けた状態のバッグの持ち手に対し、当該持ち手がある側とは反対側の脇下を通って使用者の正面側および背面側から、当該持ち手に引っ掛けた状態とすることが可能なものであることを特徴とする。
【０００７】
このストラップによれば、使用者の背中側にバッグを配置しなくとも、肩に掛けた持ち手をずれ落ちにくくすることができる。
【０００８】
また、このストラップは、
少なくとも一方の端部に設けられた第一係止部と、
前記第一係止部とは異なる位置に設けられ、前記第一係止部に係止可能な第二係止部とを有し、
前記第一係止部と前記第二係止部とを係止させてできる輪の内側に前記持ち手を通すことで、前記持ち手に引っ掛けることが可能なものであってもよい。
【０００９】
このストラップによれば、持ち手への着脱を容易に行うことができる。
【００１０】
また、このストラップは、
前記第一係止部および前記第二係止部は、
ストラップの異なる面を向かい合わせて係止させるものであってもよい。
【００１１】
このストラップによれば、持ち手が肩からずれ落ちにくくする効果を高めることができる。
【００１２】
また、このストラップは、
少なくとも一方の端部に、先端と軸の間が開口したままの鉤部を有し、
前記鉤部は、
前記持ち手に引っ掛けることが可能なものであってもよい。
【００１３】
このストラップによれば、持ち手への着脱を容易に行うことができる。
【００１４】
上記目的を解決する本発明の第１のバッグは、
肩に掛けることが可能な持ち手と、
前記持ち手に設けられた第一接続部および第二接続部と、
前記持ち手を肩に掛けた状態において、前記持ち手がある側とは反対側の脇下を通って使用者の正面側および背面側から、前記第一接続部および前記第二接続部にそれぞれ接続可能なストラップと、を備えたことを特徴とする。
【００１５】
また、上記目的を解決する本発明の第２のバッグは、
肩に掛けることが可能な持ち手と、
前記持ち手に設けられた接続部と、
前記持ち手を肩に掛けた状態において、前記持ち手がある側とは反対側の脇下を通って使用者の正面側および背面側のいずれか一方側から前記接続部に接続可能であって、該一方側とは異なる他方側から、前記持ち手に引っ掛けることが可能なストラップと、を備えたことを特徴とする。
【００１６】
また、上記目的を解決する本発明の第３のバッグは、
肩に掛けることが可能な持ち手と、
前記持ち手に設けられた接続部と、
前記持ち手に一端が固定されたストラップと、を備え、
前記ストラップは、
前記持ち手を肩に掛けた状態において、前記持ち手がある側とは反対側の脇下を通って使用者の正面側および背面側のいずれか一方側から前記接続部に接続可能なものであることを特徴とする。
【００１７】
また、上記目的を解決する本発明の第４のバッグは、
肩に掛けることが可能な持ち手と、
前記持ち手に一端が固定されたストラップと、を備え、
前記ストラップは、
前記持ち手を肩に掛けた状態において、前記持ち手がある側とは反対側の脇下を通って使用者の正面側および背面側のいずれか一方側から前記持ち手に引っ掛けることが可能なものであることを特徴とする。
【００１８】
上記第１〜第４のバッグによれば、持ち手を肩に掛けた状態でバッグの中身を確認できるようにしつつも、持ち手が肩からずれ落ちにくくすることができる。
【００１９】
また、上記第２のバッグおよび第４のバッグは、
前記ストラップは、
前記持ち手に引っ掛ける側の端部に設けられた第一係止部と、
前記第一係止部とは異なる位置に設けられ、前記第一係止部に係止可能な第二係止部とを有し、
前記第一係止部と前記第二係止部とを係止させてできる輪の内側に前記持ち手を通すことで、前記持ち手に引っ掛けることが可能なものであってもよい。
【００２０】
このバッグによれば、ストラップの持ち手への着脱を容易に行うことができる。
【００２１】
また、上記第２のバッグおよび第４のバッグは、
前記第一係止部および前記第二係止部は、
ストラップの異なる面を向かい合わせて係止させるものであってもよい。
【００２２】
このバッグによれば、持ち手が肩からずれ落ちにくくする効果を高めることができる。
【００２３】
また、上記第２のバッグおよび第４のバッグは、
前記ストラップは、
前記持ち手に引っ掛ける側の端部に、先端と軸の間が開口したままの鉤部を有し、
前記鉤部は、
前記持ち手に引っ掛けることが可能なものであってもよい。
【００２４】
このバッグによれば、ストラップの持ち手への着脱を容易に行うことができる。
【００２５】
また、上記目的を解決する本発明の第５のバッグは、
肩に掛けることが可能な持ち手と、
底部に設けられた第一接続部および第二接続部と、
前記持ち手を肩に掛けた状態において、前記底部がある側とは反対側の胴部を回って使用者の正面側および背面側から、前記第一接続部および前記第二接続部にそれぞれ接続可能なストラップと、を備えたことを特徴とする。
【００２６】
この第５のバッグによれば、持ち手を肩に掛けた状態でバッグの中身を確認できるようにしつつも、持ち手が肩からずれ落ちにくくすることができる。
【発明の効果】
【００２７】
本発明によれば、利便性を妨げることなく持ち手が肩からずれ落ちないようにするストラップと、このストラップを設けたバッグを提供することができる。
【図面の簡単な説明】
【００２８】
【図１】本発明のストラップの一実施形態を示す図である。
【図２】図１に示すストラップが取り付けられるバッグの一例を示す正面図である。
【図３】図２のバッグを示す側面図である。
【図４】図１に示すストラップを使用している様子を示す図である。
【図５】ストラップの端部の一例を示す図である。
【図６】図５の構成を採用した場合の使用状況の一例を示す図である。
【図７】先端と軸の間が開口したままの鉤部を示す図である。
【図８】ストラップの引っ掛け方の例を示す模式図である。
【発明を実施するための形態】
【００２９】
以下、図面を用いて、本発明のストラップおよびバッグについて説明する。
【００３０】
［ストラップの実施形態］
まず、図１を用いて、本発明のストラップの一例について説明する。図１は、本発明ののストラップの一実施形態を示す図である。
【００３１】
図１に示す実施形態のストラップ１は、本発明のストラップの一例に相当するものである。このストラップ１には、端部２，３のそれぞれに、スナップボタンの凹部２１，３１と凸部２２，３２が間隔を空けて設けられている。それぞれの端部２，３では、凹部２１，３１と凸部２２，３２を留めることで、端部２，３を輪にすることができる。また、ストラップ１には、長さ調整部材４が設けられており、この長さ調整部材４の位置を変更することで、ストラップ１の長さを調整することができる。
【００３２】
次に、図２〜図４を用いて、図１に示すストラップ１の使用方法について説明する。図２は、図１に示すストラップ１が取り付けられるバッグの一例を示す正面図である。また、図３は、図２のバッグを示す側面図である。図４は、図１に示すストラップ１を使用している様子を示す図である。なお、図４では、長さ調整部材４を省略している。
【００３３】
図２、図３に示すバッグ５は、バッグ本体５１に肩に掛けることが可能な持ち手５２が取り付けられたものであり、所謂トートバッグと呼ばれるものである。なお、図３に示すように、持ち手５２はバッグ本体５１の表面側と裏面側のそれぞれに取り付けられている。
【００３４】
図４に示すように、図１に示すストラップ１は、持ち手５２を肩に掛けた状態のバッグ５に対して使用するものである。具体的には、持ち手５２がある側とは反対側の脇下を通し、使用者の正面側および背面側から両端部２，３をそれぞれ持ち手５２に巻き付けて使用する。このとき、ストラップ１の両端部２，３は、それぞれの凹部２１，３１および凸部２２，３２を留めていることで輪になっており、持ち手５２がその内側を通った状態となっている。この状態は、ストラップ１の端部２，３の輪が、持ち手５２に引っ掛けられた状態でもある。なお、図４では持ち手５２を左肩に掛けた状態となっているが、右肩に掛けた状態であっても同様に使用することができる。
【００３５】
さらに使用の際には、長さ調整部材４を用いてストラップ１の長さを調整し、ストラップ１を使用者にフィットさせる。ストラップ１を持ち手５２に引っ掛けた状態でストラップ１を短くしていくと、その分、持ち手５２をストラップ１が引っ張る力が強まり、持ち手５２が折れ曲がった状態になる。この場合、持ち手５２が肩からずれ落ちてしまうことを防止することができる。
【００３６】
なお、持ち手５２が折れ曲がった状態（持ち手５２がストラップ１に常に引っ張られている状態）にならなくても、ストラップ１が使用者の体にフィットする程度にストラップ１の長さを調整すればよい。この場合、持ち手５２が肩からずれ落ちてしまう方向へ移動しようとする場合に、ストラップ１がこの移動を制限することになり、持ち手５２が肩からずれ落ちてしまうことを防止することができる。
【００３７】
持ち手５２を肩から掛けた状態においては、バッグ５の位置は主に使用者の側面となり、多少前後に移動させることができる。例えば、バッグ５を使用者の前方にずらすことで、使用者がバッグの中身を確認したり、混雑する電車内で迷惑にならないようにすることができる。また、例えば、使用者側にある持ち手５２にストラップ１を引っ掛けた状態にすれば、バッグ5の中身を確認しやすくすることができる。このように、上記説明したストラップ１は、使用にあたってバッグ５の位置の変更を必要とするものではないため、バッグ５の利便性を妨げずにこれを使用することができる。
【００３８】
なお、ストラップ１は、肩から掛けることが可能なバッグであれば特段の構成を必要とせず、バッグ自体のデザインを制限するものではない。すなわち、肩掛け可能な持ち手を有したバッグであれば、デザイン性の如何に関わらず使用することができる。例えば、持ち手が一つのバッグであってもよい。
【００３９】
なお、ストラップ１を持ち手５２に引っ掛ける構成については、スナップボタンに限定されるものではない。ただし、上記の実施形態のようにスナップボタンだけを用いた構成の場合、持ち手５２へ容易に着脱できる。例えば、自転車に乗る際にこのストラップ１を使用すれば、バッグの持ち手が肩からずれ落ちてしまわないようにすることができ、自転車から降りた後はストラップ１を外してバッグだけを使用することができるため、バッグの用途を拡大することができる。
【００４０】
なお、以上説明した実施形態のストラップ１は一例であり、その他採用し得る構成について説明する。
【００４１】
［端部の構成について］
図１に示すストラップ１では、両端部２，３にスナップボタンを設けた構成について説明したが、このスナップボタンに限らず、例えば、面ファスナーのフック面とループ面の組合せや、ピンとこれを挿入可能な孔の組合せ、を設けた構成であってもよい。すなわち、係止可能な組み合わせであって、これらが係止した状態で持ち手を通すことが可能な輪ができるものであればよい。なお、この組み合わせが、本発明の第一係止部および第二係止部の一例に相当する。
【００４２】
上記第一係止部および第二係止部を係止した状態で、これらが外れないように、あるいは外れても輪が維持されるように、ストッパーの役割をする別の部材を設けてもよい。しかし、例えば図１に示すストラップ１では、持ち手５２の移動を制限するだけのものにすぎず、仮に外れてしまっても即座にバッグ５が落下してしまうわけではない。また、バッグ５の見栄えの点からすればストラップ１を常に使用することが敬遠される可能性がある。こうしたことから、ストラップに持ち手への着脱容易性が要求される場合がある。このような場合に、例えば、ストラップ１の凹部２１と凸部２２のように、第一係止部および第二係止部については、これらを引き離す方向へ力を加えるだけで係止が外れると同時に、輪ができた状態でなくなるものであることが好ましい。
【００４３】
上記説明した本発明の第一係止部および第二係止部の構成においては、例えば、図１の端部２，３の凸部２２，３２を複数並べたり、面ファスナーを広く設けるというように、係止可能な位置が複数ある構成としてもよい。この場合、持ち手５２の太さに合わせて両端部２，３の輪の大きさを調整することができる。さらに、係止位置を調整することで、ストラップ１の長さを調整し、使用者の体の大きさに合わせることもできる。
【００４４】
さらに、図１に示すストラップ１は、スナップボタンを係止させた際に、ストラップ１の同じ面が合わさる構成のものであるが、図５に示すように、ストラップ１の異なる面が合わさる構成としてもよい。この構成では、図５に示すように、ストラップ１の延在方向に対し、端部にできる輪の中心軸が斜めになり、持ち手５２を肩からずれ落ちにくくする効果をより高めることができる。以下、具体的に説明する。
【００４５】
図４に示すようにストラップ１を持ち手５２に引っ掛けると、ストラップ１は水平な状態ではなく、持ち手５２から離れるに従ってその位置が下がった状態になる。これに対して持ち手５２は、ストラップ１と接触している箇所において、ほぼ鉛直方向に延在する。すなわち、ストラップ１と持ち手５２が接触する箇所では、ストラップ１と持ち手５２の延在方向は直交せずに斜めに交わることになる。このため、図５の構成を採用した場合の方が、ストラップ１の端部の輪を持ち手５２によりフィットさせることができ、持ち手５２を肩からずれ落ちにくくする効果をより高めることができる。図６には、図５の構成を採用した場合の使用状況の一例が示されている。以上のことから、本発明の第一係止部と第二係止部については、ストラップ１の異なる面で係止するものであってもよい。
【００４６】
さらに、ストラップ１を持ち手５２に引っ掛ける構成については、上記説明した第一係止部と第二係止部の構成に限らず、鉤状の部材（以下、鉤部）を有する構成を採用してもよい。この構成の場合、鉤部の内側の空間を持ち手５２が通ることになる。ここで、この空間への入り口（鉤部の軸と先端との間）については、所謂ナスカンのように開閉可能な構成であってもよいし、開口したままの構成であってもよい。図７には、先端と軸の間が開口したままの鉤部６が示されている。この図７に示す鉤部６では持ち手５２を通す空間が常に開口した状態であるため、ストラップ１を持ち手５２に着脱することが容易になる。上記説明したように、ストラップ１の着脱が容易であること要求される場合においては、この鉤部６のような構成であってもよい。
【００４７】
なお、図１に示すストラップ１では、両端部３，２が同じ構成である場合について説明したが、それぞれの端部３，２で異なる構成であってもよい。
【００４８】
［持ち手への引っ掛け方について］
図４の説明では、図１に示すストラップ１を持ち手５２に引っ掛けることについて説明したが、引っ掛ける箇所について具体的に触れていなかった。しかし、引っ掛ける箇所がいずれであっても、肩からずれ落ちることを防止するという効果を奏する。以下この点について図８を用いて説明する。同図は、ストラップの引っ掛け方の例を示す模式図である。
【００４９】
図８（Ａ）および図８（Ｂ）では、使用者の体Ｂと、この周りに配されたストラップ１と、肩に掛けた持ち手５２の根本部分（４箇所）について、使用者の上方向から見た位置関係が示されている。なお、これらの図では、下側が使用者の正面側にあたり、上側が使用者の背面側にあたるものとする。また、持ち手５２の根本部分のうち、使用者に近い方を内側、使用者から遠い方を外側、と称し、正面側および背面側と組み合わせて区別する。具体的には、持ち手５２の根本部分のうち、使用者に近くかつ正面側にあるものを正面内側と称し（図８の持ち手５２ａ）、使用者に近くかつ背面側にあるものを背面内側と称し（図８の持ち手５２ｂ）、使用者から遠くかつ正面側にあるものを正面外側と称し（図８の持ち手５２ｃ）、使用者から遠くかつ背面側にあるものを背面外側と称する（図８の持ち手５２ｄ）。
【００５０】
まず、図８（Ａ）には、内側にある持ち手５２の根本のそれぞれ（持ち手５２ａ，５２ｂ）に、ストラップ１を引っ掛けた状態が示されている。この状態は一例であって、外側にある持ち手５２（持ち手５２ｃ，５２ｄ）に対してストラップ１を引っ掛けた状態としてもよい。また、正面内側の持ち手５２ａと正面外側の持ち手５２ｃを一纏めにして引っ掛ける、というように正面側や背面側で隣り合う持ち手５２を一纏めにして引っ掛けてもよい。また、例えば、外側の持ち手５２ｃ，５２ｄにストラップ１を引っ掛けている状態にバッグ５の中身を見る必要が生じた場合に、例えば正面外側の持ち手５２ｃに引っ掛けていたストラップ１を一旦正面内側の持ち手５２ａに引っ掛けることでバッグ５の中身を見ることができる。その後、必要であれば、再び正面外側の持ち手５２ｃにストラップ１を引っ掛ければよい。
【００５１】
さらに、ストラップ１を持ち手５２に引っ掛けるにあたっては、例えば、使用者の正面側にあるストラップ１を、使用者の背面側にある持ち手５２ｂ，５２ｄに引っ掛けることもでき、必ずしも同じ側の持ち手５２に引っ掛ける必要はない。このとき、例えば図８（Ｂ）に示すように、使用者の正面側にあるストラップ１を、正面外側にある持ち手５２ｃの外側を回って背面外側にある持ち手５２ｄに引っ掛けた場合には、背面外側の持ち手５２ｄだけでなく、正面外側の持ち手５２ｃにも引っ掛けた状態とすることができる。
【００５２】
また、図８（Ｃ）には、ストラップ１の一方の端部２にできる輪の内側に持ち手５２を通した状態が示されているが、ストラップ１を持ち手５２に引っ掛けるにあたっては、このような使用方法に限られるものではない。例えば、図８（Ｄ）に示すように、ストラップ１を持ち手５２に巻き付ける際に、端部２にある凹部２１および凸部２２の双方を持ち手５２で折り返させ、端部２を持ち手５２ではなくストラップ１に巻き付ける（端部２にできる輪にストラップ１が通った状態になる）ことで、ストラップ１を持ち手５２に引っ掛けることもできる。この場合、ストラップ１の端部２とは別の箇所に輪ができ、その輪の内側を持ち手５２が通った状態になる。なお、上記説明した鉤部６の場合にも同様のことが可能である。例えば、端部２に鉤部６が採用されている場合に、ストラップ１の端部２を持ち手５２で折り返させ、端部２の鉤部６をストラップ１に引っ掛けることで、ストラップ１にできる輪の内側を持ち手５２が通った状態とすることができる。
【００５３】
また、図４のように持ち手５２に両端部２，３を引っ掛けずに、持ち手５２と使用者を一纏めにしてストラップ１を一周させ、それぞれの端部２，３同士を係止させてもよい（例えば、凹部２１と凸部２２を、もう一方の端部３の凸部３２と凹部３１に係止させる、あるいは両端部の鉤部６を互いに引っ掛ける、など）。なお、このときストラップ１はバッグ本体５１の上部を通るようにする。この場合、両端部２，３ではなくストラップ１全体で一つの輪ができ、この輪の内側に持ち手５２と使用者が通った状態になる。このようにしても、ストラップ１は持ち手５２に引っ掛けられた状態となる。
【００５４】
すなわち、その方法および構成の如何に関わらずストラップ１が持ち手５２に引っ掛けられていればよく、これにより持ち手５２が肩からずれ落ちることを防止することができる。
【００５５】
なお、持ち手５２が二つある場合、使用者からみて外側にある持ち手５２が引っ掛けられていることが好ましく、さらには、使用者の正面側と背面側のいずれにおいても持ち手５２が引っ掛けられていることが好ましい。
【００５６】
［長さ調整について］
上記説明したように、ストラップ１を持ち手５２に引っ掛ける際に、様々な方法を採用することができるが、これらの方法により使用者の周りを回るストラップ１の長さが異なる。例えば、図８（Ａ）と図８（Ｂ）の場合を比較すると、後者の場合に要するストラップの方が長くなっている。言い換えると、ストラップ１の引っ掛け方を異ならせることにより、長さ調整部材４を用いることなくストラップ１を使用者の体にある程度フィットさせることができることになる。このため、長さ調整部材４は必須ではないが、使用者の体に合わせるためには、長さ調整部材４があることが好ましい。また、この長さ調整部材４については、図１に示すストラップ１の構成に限らず、例えば、ストラップ１の素材にゴム等の弾性部材を用いることで、この弾性部材の部分を長さ調整部材としてもよい。
【００５７】
［バッグに構成を付加した形態について］
上記説明した実施形態のストラップ１では、肩に掛けることが可能な持ち手５２に対し、使用者の正面側および背面側からストラップ１を引っ掛ける構成について説明した。この構成では、バッグの持ち手が肩からかけることが可能なものであれば、それ以外の構成を必要とするものではない。しかし、バッグ側の構成を採用し、ストラップが付属したバッグとした場合にも、同様の効果を奏するようにすることが可能である。
【００５８】
例えば、図１に示すストラップ１の端部２に設けられた凸部２２を、ストラップ１ではなく図２に示すバッグ５の持ち手５２に設け、持ち手５２とストラップ１を接続可能にしてもよい。また、図７に示す鉤部６をストラップ１の端部２に設けた構成を採用した場合には、持ち手５２にＤカンのような環状部材を設け、この環状部材に鉤部６を引っ掛けることで持ち手５２とストラップ１を接続可能にしてもよい。他にも、ナスカンとＤカンや差込バックルの凹部と凸部のような一対の接続部材のうち、いずれか一方をストラップの端部に設けて他方を持ち手に設けたバッグ、とすることによっても、持ち手とストラップを接続可能にすることができる。これらの例のように、持ち手にストラップを接続可能な接続部を設けたバッグの構成とすれば、バッグの持ち手にストラップを引っ掛ける構成と同様に、持ち手が肩からずれ落ちないようにすることができる。また、持ち手とストラップの一端とを分離できないように固定したバッグの構成についても、バッグの持ち手にストラップを引っ掛ける構成と同様に、持ち手が肩からずれ落ちないようにすることができる。
【００５９】
以上の構成は、「肩に掛けられた持ち手がある側とは反対側の脇下を通って使用者の正面側および背面側」から配されるストラップについて、このストラップが付属するバッグの持ち手に構成を付加することで、図１に示すストラップ１とは取付け方を異ならせた構成である。これらの組み合わせの例としては、「正面側および背面側からのストラップを、持ち手に設けられた第一接続部および第二接続部に接続する」構成（本発明の第１のバッグに相当）や、「正面側および背面側からのストラップの一方を持ち手に設けられた接続部に接続し、他方を持ち手に引っ掛ける」構成（本発明の第２のバッグに相当）や、「正面側および背面側からのストラップの一端が持ち手に固定され、他方を持ち手に設けられた接続部に接続する」構成（本発明の第３のバッグに相当）や、「正面側および背面側からのストラップの一端が持ち手に固定され、他方を持ち手に引っ掛ける」構成（本発明の第４のバッグに相当）が挙げられる。
【００６０】
なお、上記のバッグの構成において、ストラップを持ち手に引っ掛ける構成については、図１に示すストラップ１の実施形態で説明した構成と同様の構成を採用することができる。また、上記のバッグの構成において、ストラップの一端を持ち手に固定した構成が採用されている場合、ストラップを紛失してしまうことを防止することができる。
【００６１】
上記のバッグの構成は、持ち手がずれ落ちないように、ストラップを持ち手に直接取り付ける構成を採用したものであるが、持ち手以外の箇所に取り付けた場合であっても、持ち手がずれ落ちないようにすることができる。一例として、底部の長手方向の両端にそれぞれＤカンを設けたバッグと、両端部にナスカンを設けたストラップの構成について説明する（本発明の第５のバッグの一例に相当）。この構成では、肩に掛けられた持ち手がある側とは反対側の胴部を回って使用者の正面側および背面側からストラップを配し、ストラップの両方の端部にあるナスカンをバッグ底部の両端にあるＤカン（本発明の第５のバッグにおける第一接続部および第二接続部の一例に相当）にそれぞれ接続して使用する。この状態では、バッグ本体の揺れを抑えることができ、その結果、持ち手が肩からずれ落ちないようにすることができる。なお、バッグ底部とストラップを接続可能とする構成については、上記の例に限定されるものではなく、例えば、先に述べたバッグの持ち手とストラップを接続可能とする構成と同様の構成を採用することができる。また、バッグ底部の隅に脚を設ける場合に、この脚の軸の一部に他の部分よりも細い部分を形成しておき、この軸に係合可能な部材をストラップの両端に設けることで、バッグ底部とストラップを接続可能にしてもよい。以上説明したように、バッグ底部にストラップを接続可能な接続部を設けることで、バッグの揺れをより抑えることができ、持ち手が肩からずれ落ちないようにすることができる。なお、上記の接続部については、バッグ底部の長手方向の両端側であることが好ましい。
【符号の説明】
【００６２】
１    ストラップ
２，３  端部
２１，３１    凹部
２２，３２    凸部
４    長さ調整部材
５    バッグ
６    鉤部
【図１】
2018082965.tif 000003
【図２】
2018082965.tif 000004
【図３】
2018082965.tif 000005
【図４】
2018082965.tif 000006
【図５】
2018082965.tif 000007
【図６】
2018082965.tif 000008
【図７】
2018082965.tif 000009
【図８】
2018082965.tif 000010